【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
保護用織物スリーブであって、
編組まれた糸からなる管状壁を備え、前記管状壁は、両端部間において中心長手方向軸に沿って長さ方向に延在し、前記編組まれた糸のうち少なくともいくつかはヒートセット糸を含み、
前記壁は、概ね凸状の隆起を形成する複数の環状の第１の領域と、概ね凹状のくぼみを形成する複数の環状の第２の領域とを有し、前記第１の領域は、前記中心長手方向軸に沿って前記第２の領域と交互に並んでおり、前記第１の領域は複数の閉ループを形成する複数の撚り糸を含み、前記編組まれた糸のうち少なくともいくつかは、前記第１の領域内において前記閉ループのうち少なくともいくつかを通過する、保護用織物スリーブ。
【請求項２】
前記第２の領域には前記閉ループがない、請求項１に記載の保護用織物スリーブ。
【請求項３】
前記編組まれた糸の全体がヒートセット糸を含む、請求項２に記載の保護用織物スリーブ。
【請求項４】
複数の前記編組まれた糸は前記閉ループの各々を通過する、請求項２に記載の保護用織物スリーブ。
【請求項５】
前記第１の領域は第１の剛性を有し、前記第２の領域は第２の剛性を有し、前記第１の剛性は前記第２の剛性よりも高い、請求項１に記載の保護用織物スリーブ。
【請求項６】
前記第１の領域は前記ヒートセット糸を含む、請求項５に記載の保護用織物スリーブ。
【請求項７】
前記ヒートセット糸はモノフィラメントである、請求項６に記載の保護用織物スリーブ。
【請求項８】
前記第２の領域は非ヒートセット糸を含む、請求項５に記載の保護用織物スリーブ。
【請求項９】
前記非ヒートセット糸はマルチフィラメントである、請求項８に記載の保護用織物スリーブ。
【請求項１０】
前記マルチフィラメントのうち少なくともいくつかは、前記閉ループのうち少なくともいくつかを通過する、請求項９に記載の保護用織物スリーブ。
【請求項１１】
前記ヒートセット糸のうち少なくともいくつかは編組まれて束にされ、前記束の各々は複数の前記閉ループを含み、１つの束における前記閉ループのうち少なくともいくつかは、前記第１の領域における別の束における前記閉ループのうち少なくともいくつかと連結されている、請求項１に記載の保護用織物スリーブ。
【請求項１２】
前記第２の領域は非ヒートセット糸を含み、前記非ヒートセット糸は前記閉ループを通って延びている、請求項１１に記載の保護用織物スリーブ。
【請求項１３】
前記第２の領域には前記閉ループがない、請求項１１に記載の保護用織物スリーブ。
【請求項１４】
前記第１の領域は第１のパターンで編組まれた糸を含み、前記第２の領域は第２のパターンで編組まれた糸を含み、前記第１のパターンは前記第２のパターンとは異なっている、請求項１に記載の保護用織物スリーブ。
【請求項１５】
前記壁は全体がヒートセット・モノフィラメントから形成されている、請求項１に記載の保護用織物スリーブ。
【請求項１６】
織物スリーブを構成する方法であって、
複数の糸を互いに編組むことで管状壁を形成するステップを含み、前記管状壁は、両端部間において中心長手方向軸に沿って長さ方向に延在し、前記糸のうち少なくともいくつかはヒートセット可能な糸として設けられており、前記方法はさらに、
前記管状壁の前記両端部を互いに向かって軸方向に圧縮するステップと、
前記壁が圧縮されている状態で、前記ヒートセット可能な糸をヒートセットして、前記中心長手方向軸に沿って互いに交互に並ぶ複数の環状の第１の領域および複数の環状の第２の領域を形成するステップとを含み、前記第１の領域は概ね凸状の隆起を形成し、前記第２の領域は概ね凹状のくぼみを形成している、方法。
【請求項１７】
レース編み機で前記壁を編組むステップをさらに含む、請求項１６に記載の方法。
【請求項１８】
前記壁を、継ぎ目なしに円周方向に連続する壁として編組むステップをさらに含む、請求項１６に記載の方法。
【請求項１９】
ヒートセット不可能な糸を含む前記第２の領域を編組むステップをさらに含む、請求項１６に記載の方法。
【請求項２０】
前記ヒートセット不可能な糸をマルチフィラメントとして設けるステップをさらに含む、請求項１９に記載の方法。
【請求項２１】
前記ヒートセット可能な糸のうち少なくともいくつかを撚り合わされた束に編組むステップをさらに含み、前記撚り合わされた束の各々は複数の閉ループを含み、
１つの撚り合わされた束における前記閉ループのうち少なくともいくつかを、前記第１の領域にある別の撚り合わされた束における前記閉ループのうち少なくともいくつかと連結するステップをさらに含む、請求項１６に記載の方法。
【請求項２２】
前記複数の糸のうち少なくともいくつかをヒートセット不可能な糸として設け、前記ヒートセット不可能な糸のうち少なくともいくつかを前記閉ループのうち少なくともいくつかを通って延在させるステップをさらに含む、請求項２１に記載の方法。
【請求項２３】
前記ヒートセット可能な糸をモノフィラメントとして設け、前記ヒートセット不可能な糸をマルチフィラメントとして設けるステップをさらに含む、請求項２２に記載の方法。
【請求項２４】
複数の前記ヒートセット不可能な糸を前記閉ループの各々を通って延在させるステップをさらに含む、請求項２２に記載の方法。
【請求項２５】
前記第１の領域における糸を第１のパターンで編組み、前記第２の領域における前記第２の糸を第２のパターンで編組むステップをさらに含み、前記第１のパターンは前記第２のパターンとは異なっている、請求項１６に記載の方法。
【請求項２６】
前記壁の全体をヒートセット可能な糸で編組むステップをさらに含む、請求項２５に記載の方法。
【請求項２７】
前記ヒートセット可能な糸のうち少なくともいくつかを編組んで、前記第１の領域に複数の閉ループを形成するステップをさらに含む、請求項２６に記載の方法。
【請求項２８】
前記閉ループがない前記第２の領域を編組むステップをさらに含む、請求項２６に記載の方法。
【請求項２９】
第１の剛性を有する前記第１の領域を編組み、第２の剛性を有する前記第２の領域を編組むステップをさらに含み、前記第１の剛性は前記第２の剛性よりも高い、請求項１６に記載の方法。
【手続補正２】
【補正対象書類名】明細書
【補正対象項目名】００２５
【補正方法】変更
【補正の内容】
【００２５】
【図１】本発明の一局面に従って構成された管状の編組スリーブが、保護すべき細長部材の周りに配置されているのを示す概略的な斜視図である。
【図２Ａ】本発明の一局面に従った、図１のスリーブの壁の編組パターンを示す拡大部分図である。
【図２Ｂ】本発明の別の局面に従った、図１のスリーブの壁の編組パターンを示す拡大部分図である。
【図２Ｃ】本発明の別の局面に従った、図１のスリーブの壁の編組パターンを示す拡大部分図である。
【図２Ｄ】本発明の別の局面に従った、図１のスリーブの壁の編組パターンを示す拡大部分図である。
【図３Ａ】図２Ａの編組パターンで構成された図１のスリーブを、圧縮前およびヒートセット前の編組まれた状態で示す部分図である。
【図３Ｂ】図３Ａのスリーブを、軸方向に圧縮されてヒートセットされた状態で示す図である。
【図３Ｃ】図３Ｂのスリーブを、よじらせることなく、急な屈曲部の周りの経路に沿って配置された状態で示す図である。
【図４Ａ】図２Ｄの編組パターンで構成された図１のスリーブを、圧縮前およびヒートセット前の編組まれた状態で示す部分図である。
【図４Ｂ】図４Ａのスリーブを軸方向に圧縮された状態で示す部分図である。
【図４Ｃ】図４Ｂのスリーブを軸方向に圧縮されてヒートセットされた状態で示す部分図である。
【図４Ｄ】図４Ｃのスリーブを、よじらせることなく、急な屈曲部の周りの経路に沿って配置された状態で示す部分図である。
【手続補正３】
【補正対象書類名】明細書
【補正対象項目名】００３１
【補正方法】変更
【補正の内容】
【００３１】
図２Ｃおよび図２Ｄにおいては、図１のスリーブ１０のさらなる実施形態に従ったさまざまな編組パターンの壁１２が示される。ここでは、上述と同じ参照番号を用いて同様の特徴を示しているが、この明細書中においては、比較的堅い第１の領域２０および比較的柔らかくて可撓性のある第２の領域２２を備えた他の編組パターンが企図されていることが認識されるはずである。図２Ｃおよび図２Ｄに示される編組パターンはヒートセット可能な糸２４だけを含む。この場合、ヒートセット可能な糸２４は、第２の領域２２全体にわたって、互いに逆の螺旋形のＳ方向およびＺ方向に、互いに上下に波打った第１の標準規格の編組パターンで互いに織り交ぜられている一方で、ヒートセット可能な糸２４は、第１の領域２０において第２の編組パターンで互いに織り交ぜられている。この場合、ヒートセット可能な糸２４の対によって第２の編組パターンが形成されて、中間のヒートセット可能な糸２４の周りにループを形成し、互いに対する螺旋方向を変えている。したがって、対をなす糸における糸２４のうちの一方が、第１の領域２０に対してＳ螺旋方向またはＺ螺旋方向から逆のＳ方向またはＺ方向に変化するとともに、対をなす糸における糸２４のうち他方が、第１の領域２０に対してＳ螺旋方向またはＺ螺旋方向から逆のＳ方向またはＺ方向に変化することにより、閉ループ３０を形成している。閉ループ３０内を通って延びる、１対として示されている（一例であって、これに限定されない）複数のヒートセット可能な糸２４は互いに逆の螺旋方向に延びている。図２Ｃおよび図２Ｄの編組パターン同士の主な相違は、第２の比較的可撓性のある領域２２の軸長さに関するものである。すなわち、図２Ｃの第２の領域２２は、比較的堅い第１の領域２０と同じまたは実質的に同じ軸長さを有するものとして示されており、対照的に、図２Ｄの第２の領域２２は、比較的堅い第１の領域２０に比べて長く、約２倍（一例であって、これに限定されない）の軸長さを有するものとして示されている。軸方向に延びる任意の好適な長さを有する第１の領域２０および第２の領域２２を編組むことができることが認識されるはずである。この場合、第１の領域および第２の領域はすべてほぼ同じ長さであってもよく、または、意図される用途のために必要に応じて、スリーブ１０の長さにわたって個々にまたは互いに相対的にそれらの長さを変えることができる。